(57)【要約】【課題】圧入片の内倒れを防ぐ。【解決手段】本明細書によって開示されるコネクタは、ハウジング５０に設けられた収容室５３にショート端子３０が収容されてなるコネクタ１０であって、ショート端子３０は、板状の端子本体３１と、端子本体３１の後端部から前方に延出され、上下方向に弾性変位可能な弾性接触片３２と、端子本体３１の両側縁から弾性接触片３２に隣接するように上方に延出して設けられ、その上端部が収容室における上側内壁５４に圧入されることでショート端子３０を収容室５３内に抜け止めする圧入片３６とを有しており、収容室５３には、圧入片３６の弾性接触片３２である内側に配される倒れ防止部５７が設けられているところに特徴を有する。【選択図】図５
2016058175.tif 000002
【特許請求の範囲】
【請求項１】
ハウジングに設けられた収容室に端子が収容されてなるコネクタであって、
前記端子は、板状の端子本体と、
前記端子本体に同端子本体の板厚方向に弾性変位可能に設けられた弾性接触片と、
前記端子本体における前記端子の収容方向に沿って延びる側縁から前記弾性接触片に隣接するように前記端子本体の板厚方向に延出して設けられ、その延出端部が前記収容室において前記端子本体と対向する対向壁に圧入されることで前記端子を前記収容室内に抜け止めする圧入片とを有しており、
前記収容室の内壁には、前記圧入片の前記弾性接触片側である内側に配される倒れ防止部が設けられているコネクタ。
【請求項２】
前記倒れ防止部は、前記圧入片に沿った形態で前記対向壁から前記端子本体に向けて突出して設けられている請求項１に記載のコネクタ。
【請求項３】
前記倒れ防止部における前記圧入片側の位置には、突出方向先端部に向かうほど前記圧入片から離れる方向に傾斜する傾斜部が設けられており、
前記圧入片は、前記傾斜部に圧入可能とされている請求項２に記載のコネクタ。
【請求項４】
前記圧入片は、前記端子本体の両側縁に設けられており、
前記圧入片の前記延出端部には、前記傾斜部に沿って圧入される傾斜状のテーパ部が形成されている請求項３に記載のコネクタ。
【請求項５】
前記端子は、前記ハウジングにおいて前記収容室に隣接して設けられた一対のキャビティに収容されるコネクタ端子同士を短絡させるショート端子であって、
前記弾性接触片は、前記コネクタ端子に対応するように一対並んで設けられており、
前記圧入片は、一対の前記弾性接触片の並び方向両側に一対配されている請求項１から請求項４の何れか一項に記載のコネクタ。
【発明の詳細な説明】
【技術分野】
【０００１】
本明細書によって開示される技術は、コネクタに関する。
【背景技術】
【０００２】
例えば、複数の端子を短絡させる短絡端子を備えたコネクタとして、特開２００２−９３５０６号公報（下記特許文献１）に記載のものが知られている。
【０００３】
このコネクタは、前端に弾性変位可能な一対の弾性接触片が設けられると共に、両側縁に上方に向けて真っ直ぐ延出された一対の圧入片が設けられた短絡端子と、
この短絡端子を内部に収容する収容室を有する雌ハウジングとを備えて構成されている。短絡端子を収容室内に収容する際には、収容室の両側縁部における上下の内壁に圧入片を圧入させつつ、短絡端子を収容室内に挿入することで、短絡端子が収容室内に抜け止め状態に保持されるようになっている。
【先行技術文献】
【特許文献】
【０００４】
【特許文献１】特開２００２−９３５０６号公報
【発明の概要】
【発明が解決しようとする課題】
【０００５】
ところで、上記の短絡端子によると、収容室の上下の内壁に圧入片を圧入する過程で、圧入片の上端部が収容室の上壁によって押圧された状態となり、圧入片が本体部側である内側に向けて変形する、いわゆる圧入片の内倒れが生じる虞がある。圧入片が内倒れすると、圧入片が弾性接触片に接触して弾性接触片を損傷させたり、圧入片が収容室の上下の内壁に対して正規に圧入されずショート端子が収容室内においてがたついたりする虞があるため、その対策が望まれていた。
【０００６】
本明細書では、圧入片の内倒れを防ぐ技術を開示する。
【課題を解決するための手段】
【０００７】
本明細書によって開示される技術は、ハウジングに設けられた収容室に端子が収容されてなるコネクタであって、前記端子は、板状の端子本体と、前記端子本体に同端子本体の板厚方向に弾性変位可能に設けられた弾性接触片と、前記端子本体における前記端子の収容方向に沿って延びる側縁から前記弾性接触片に隣接するように前記端子本体の板厚方向に延出して設けられ、その延出端部が前記収容室において前記端子本体と対向する対向壁に圧入されることで前記端子を前記収容室内に抜け止めする圧入片とを有しており、前記収容室の内壁には、前記圧入片の前記弾性接触片側である内側に配される倒れ防止部が設けられているところに特徴を有する。
このような構成によると、収容室内に端子を収容する際に、圧入片が倒れ防止部によって内側から支持され、圧入片が内倒れすることを防ぐことができる。これにより、圧入片によって弾性接触片を損傷させたり、収容室内において端子ががたついたりすることを防ぐことができる。
【０００８】
本明細書によって開示される技術の態様として、以下の構成が好ましい。
前記倒れ防止部は、前記圧入片に沿った形態で前記対向壁から前記端子本体に向けて突出して設けられている構成としてもよい。
このような構成によると、例えば、倒れ防止部が対向壁から間欠的に複数形成されたり、収容室の奥壁から圧入片に沿って形成されたりする場合に比べて、倒れ防止部の強度を確保しつつ、圧入片を支持する範囲を大きく確保することができる。これにより、圧入片が内倒れすることを確実に防ぐことができる。
【０００９】
前記倒れ防止部における前記圧入片側の位置には、突出方向先端部に向かうほど前記圧入片から離れる方向に傾斜した傾斜部が設けられており、前記圧入片は、前記傾斜部に圧入可能とされている構成としてもよい。
このような構成によると、圧入片が対向壁に加えて、倒れ防止部の傾斜部にも圧入されるから、ハウジングに対する端子の保持力を向上させることができる。
【００１０】
前記圧入片は、前記端子本体の両側縁に設けられており、前記圧入片の前記延出端部には、前記傾斜部に沿って圧入される傾斜状のテーパ部が形成されている構成としてもよい。
このような構成によると、端子本体の両側に設けられた圧入片のテーパ部を傾斜部に沿わせつつ、圧入することができるから、例えば、圧入片の延出端部にテーパ部が形成されていない場合に比べて、収容室に対して端子を圧入片の並び方向に位置決めして収容させ易くすることができる。
【００１１】
前記端子は、前記ハウジングにおいて前記収容室に隣接して設けられた一対のキャビティに収容されるコネクタ端子同士を短絡させるショート端子であって、前記弾性接触片は、前記コネクタ端子に対応するように一対並んで設けられており、前記圧入片は、一対の前記弾性接触片の並び方向両側に一対配されている構成としてもよい。
このような構成によると、コネクタ端子同士を短絡させるショート端子の弾性接触片を損傷させたり、収容室内においてショート端子ががたついたりすることを防ぐことができる。
【発明の効果】
【００１２】
本明細書によって開示される技術によれば、圧入片の内倒れを防ぐことができる。
【図面の簡単な説明】
【００１３】
【図１】実施形態１におけるショート端子の斜視図
【図２】同正面図
【図３】実施形態１におけるハウジングにおける収容室の要部断面図
【図４】ハウジングにショート端子を収容する前の状態を示す要部断面図であって、図３のＡ−Ａ線の断面に相当する断面図
【図５】ハウジングにショート端子を収容した状態を示す要部断面図
【図６】ハウジングにショート端子を収容した状態を示す要部断面図であって、図５のＢ−Ｂ線の断面に相当する断面図
【図７】実施形態２におけるハウジングにショート端子を収容した状態を示す要部断面図
【図８】実施形態３におけるハウジングにショート端子を収容した状態を示す要部断面図
【発明を実施するための形態】
【００１４】
＜実施形態＞
実施形態について図１から図６を参照しつつ説明する。
本実施形態のコネクタは、雌型のコネクタ１０であって、図５および図６に示すように、複数の雌端子（「コネクタ端子」の一例）２０と、複数の雌端子２０のうち隣り合う雌端子２０を短絡させるショート端子（「端子」の一例）３０と、雌端子２０およびショート端子３０を内部に収容するハウジング５０とを備えて構成されている。
【００１５】
ハウジング５０は、図３および図５に示すように、上下左右に整列して形成された複数のキャビティ５１を有しており、各キャビティ５１は、前後に開口している。各キャビティ５１内には、図６に示すように、雌端子２０が後方から収容されるようになっており、雌端子２０は、キャビティ５１の上壁に設けられた片持ち状のランス５２によってキャビティ５１内に抜け止め状態に保持されるようになっている。
【００１６】
左右に隣り合う一対のキャビティ５１の下方には、図３および図５に示すように、ショート端子３０を収容する収容室５３が設けられている。
収容室５３は、一対のキャビティ５１の下面に共通して開設された連通孔５６を通して一対のキャビティ５１と上下に連通する形態で設けられている。また、収容室５３は、図４および図６に示すように、ハウジング５０の前面からキャビティ５１に沿って後方に凹んだ奥壁５３Ａを有する凹状に形成されており、収容室５３の前端開口からショート端子３０が収容可能とされている。
【００１７】
収容室５３の上側内壁（「対向壁」の一例）５４および下側内壁５５は、図３および図５に示すように、上下に対向する水平な壁とされている。また、収容室５３の左右方向両側部分における前後方向略中央部は、図４および図６に示すように、その上側内壁５４が後方に向かうほど下方に張り出す傾斜状に形成されている。このため、収容室５３の左右方向両側部分における後部は、収容室５３の左右方向両側部分における前部に比べて、上下方向の高さ寸法が小さく設定されている。
【００１８】
ショート端子３０は、導電性に優れた金属板材をプレスなどの方法で加工することにより形成されている。ショート端子３０は、図１，図２および図４に示すように、略矩形板状の端子本体３１を有しており、この端子本体３１が、図５に示すように、収容室５３の下側内壁５５に接触するようにしてショート端子３０が収容室５３に収容されるようになっている。つまり、ショート端子３０が収容室５３内に収容されると、端子本体３１と収容室５３の上側内壁５４とが上下に対向した状態となる。
【００１９】
端子本体３１の後端縁には、図１および図２に示すように、前方に向けて片持ち状に折り返された一対の弾性接触片３２が左右方向に並んで形成されている。各弾性接触片３２は、端子本体３１よりも前後に長い形態とされており、折り返された部分を基端部として上下に弾性変位可能に形成されている。各弾性接触片３２の前端部は、上方に向けて山形状に屈曲されており、山形状の頂点部分は、雌端子２０の底部に接触する接点部３３とされている。
各接点部３３は、ショート端子３０が収容室５３内に収容されると、図５に示すように、連通孔５６を通してキャビティ５１内に進入した状態となり、キャビティ５１内に収容される雌端子２０の底部に接触するようになっている。これにより、収容室５３の上方に配された左右に隣り合う一対のキャビティ５１内の雌端子２０同士がショート端子３０によって短絡されるようになっている。
【００２０】
端子本体３１の前端縁には、図１および図２に示すように、一対の過度撓み防止部３４が左右方向に並んで設けられている。各過度撓み防止部３４は、端子本体３１の前縁から上方に延出された形態で弾性接触片３２の下方に配されており、下方に変位した弾性接触片３２が過度撓み防止部３４に当接することで弾性接触片３２が塑性変形することを防いでいる。
【００２１】
端子本体３１の前端縁における一対の過度撓み防止部３４の間には、前方に向けて真っ直ぐ延出された板状の突出部３５が設けられている。突出部３５の前端面は、垂直に切り立った形態をなしており、この突出部３５の前端面を治具などで後方に押圧することにより、ショート端子３０を収容室５３内に収容できるようになっている。
【００２２】
端子本体３１においてショート端子３０の挿入方向に沿って延びる左右の両側縁には、図５および図６に示すように、ショート端子３０を収容室５３内に収容する際に、収容室５３の左右の両側縁部に圧入される一対の圧入片３６が設けられている。一対の圧入片３６は、図１および図２に示すように、一対の弾性接触片３２の並び方向両側において、端子本体３１の側縁から真っ直ぐ上方に延出された前後に長い略矩形板状に形成されている。
また、各圧入片３６は、図１および図４に示すように、端子本体３１の前端から端子本体３１よりも後方まで延びた前後に長い形態とされており、前後方向略中央部のみが端子本体３１に連結された形態となることで、各圧入片３６の前後両端が自由端とされている。
【００２３】
各圧入片３６の後端部における上端部分は、図４および図６に示すように、後側圧入部３７とされている。後側圧入部３７の後端よりやや前寄りの位置には、斜め上外側に向けて突出する側面視略三角状の圧入突起３８がそれぞれ突設されており、圧入突起３８における頂点部分よりも後側の面は、前側の面よりもなだらかに傾斜した形態とされている。また、圧入片３６における前側圧入部３９が設けられた部分の高さ寸法は、収容室５３内の前部における左右方向両側縁部の高さ寸法に比べて、やや大きく設定されている。
【００２４】
各圧入片３６の前端部における上端部分には、後面が前方に向かうほど上方に傾斜する前側圧入部３９が設けられており、前側圧入部３９の前端よりやや後ろ寄りの位置には、下方に向けて僅かに凹んだ凹部４０が形成されている。また、圧入片３６の後側圧入部３７が設けられた部分の高さ寸法は、収容室５３内の後部における左右方向両側縁部の高さ寸法に比べて、やや大きく設定されている。
したがって、収容室５３内にショート端子３０を前方から挿入すると、ショート端子３０が収容室５３内に２／３程度挿入されたところで、前側圧入部３９が収容室５３の前部における上側内壁５４に対して圧入を開始し、後側圧入部３７が収容室５３の後部における上側内壁５４に対して圧入を開始する。
【００２５】
そして、ショート端子３０が収容室５３の正規の位置まで挿入され、ショート端子３０が収容室５３内に完全に収容されると、図６に示すように、前側圧入部３９における凹部４０よりもやや前方までの部分が上側内壁５４の前部に圧入された状態になると共に、後側圧入部３７における圧入突起３８よりもやや前方までの部分が上側内壁５４の後部に圧入された状態となる。
つまり、圧入突起３８と上側内壁５４、前側圧入部３９の凹部４０と上側内壁５４とが前後に係止することで、一対の圧入片３６が一対の弾性接触片３２の左右両側においてハウジング５０に強固に固定され、ショート端子３０が収容室５３内に抜け止めされた状態に保持されるようになっている。
【００２６】
さて、収容室５３の上側内壁５４には、図５に示すように、圧入片３６を弾性接触片３２側である内側から支持することで、圧入片３６が内側に向けて変形する内倒れを防止する倒れ防止部５７が設けられている。
倒れ防止部５７は、図３および図５に示すように、収容室５３の上側内壁５４から下方に突出した形態をなしており、図４に示すように、収容室５３の奥壁５３Ａから収容室５３の開口位置まで上側内壁５４に沿うように細長いリブ状に形成されている。言い換えると、倒れ防止部５７は、収容室５３内に収容されたショート端子３０の圧入片３６に沿うようにして収容室５３の上側内壁５４の全長に亘ってリブ状に形成されている。
【００２７】
倒れ防止部５７の上端部から収容室５３の左右の側壁５３Ｂまでの距離は、図５に示すように、圧入片３６の板厚寸法よりも僅かに小さい長さ寸法に設定されている。また、倒れ防止部５７の圧入片３６側の位置には、上側内壁５４から下方に向かうほど弾性接触片３２側に傾斜する傾斜部５８が設けられており、倒れ防止部５７の断面形状は、図３および図５に示すように、上部が下部よりも幅広な逆台形状に形成されている。
つまり、収容室５３の左右両側縁部における上部には、圧入片３６の延出方向に向けて凹んだ形態で、かつ圧入片３６の上端部が嵌合圧入される嵌合圧入部６０が収容室５３の側壁５３Ｂと上側内壁５４と倒れ防止部５７とによって構成されている。
【００２８】
一方、ショート端子３０の圧入片３６の延出端部である上端部には、図１、図２および図５に示すように、上方に向かうほど弾性接触片３２側とは反対側である外側に向けて傾斜するテーパ部４１が形成されている。このテーパ部４１の傾斜角度は、倒れ防止部５７の傾斜部５８とほぼ同じ角度に設定されている。一対の圧入片３６におけるテーパ部４１間の長さ寸法は、一対の倒れ防止部５７の傾斜部５８間の長さ寸法よりも小さく設定されている。
したがって、ショート端子３０を収容室５３内に挿入する際には、図５に示すように、前側圧入部３９および後側圧入部３７が嵌合圧入部６０の上側内壁５４に圧入されると共に、テーパ部４１が倒れ防止部５７の傾斜部５８に圧入される。
【００２９】
また、ショート端子３０の挿入過程では、倒れ防止部５７の傾斜部５８に対して圧入片３６のテーパ部４１を沿わせつつ、圧入片３６を傾斜部５８に圧入させることができるから、例えば、圧入片にテーパ部が形成されていない場合に比べて、ショート端子３０の左右の位置を中央に位置決めし易くすることができる。
つまり、収容室５３の左右両側において傾斜部５８に対してテーパ部４１が沿って圧入されるから、収容室５３に対してショート端子３０がセンタリングされて収容される。これにより、隣り合うキャビティ５１内の雌端子２０に対してショート端子３０の各弾性接触片３２を正規に接触させることができ、雌端子２０同士をショート端子３０によって短絡させることができる。
【００３０】
そして、ショート端子３０が収容室５３の正規の位置まで挿入されて、ショート端子３０が収容室５３内に完全に収容されると、図６に示すように、前側圧入部３９における凹部４０よりもやや前方までの部分が上側内壁５４の前部に圧入された状態になると共に、後側圧入部３７における圧入突起３８よりもやや前方までの部分が上側内壁５４の後部に圧入された状態となる。また、圧入片３６のテーパ部４１が倒れ防止部５７の傾斜部５８に圧入された状態となって、各圧入片３６が対応する倒れ防止部５７によって内側から押圧されるように支持された状態となる。
【００３１】
つまり、嵌合圧入部６０の上側内壁５４と前側圧入部３９および後側圧入部３７とが前後に係止すると共に、嵌合圧入部６０の倒れ防止部５７における傾斜部５８とテーパ部４１とが前後に係止することで、一対の圧入片３６が一対の弾性接触片３２の左右両側においてハウジング５０に強固に固定され、ショート端子３０が収容室５３内に抜け止めされた状態に保持される。
【００３２】
本実施形態は、以上のような構成であって、続いて、ハウジング５０の収容室５３にショート端子３０を収容する手順について説明すると共に、ショート端子３０の収容過程および収容後の作用および効果について説明する。
まず、図４に示すように、ハウジング５０の収容室５３の前方にショート端子３０を配置し、ショート端子３０の突出部３５に図示しない治具を押し当てて前方から突出部３５を押圧することにより、ショート端子３０を収容室５３内に挿入する。
【００３３】
この挿入過程では、ショート端子３０が収容室５３内に半分程度挿入されると、連通孔５６内に弾性接触片３２の山形状に屈曲された部分が進入する。そして、ショート端子３０が収容室５３内に２／３程度挿入されると、収容室５３の嵌合圧入部６０における上側内壁５４に対して前側圧入部３９および後側圧入部３７の圧入が開始されると共に、倒れ防止部５７の傾斜部５８に対してテーパ部４１の圧入が開始される。
このとき、倒れ防止部５７の傾斜部５８に対して各圧入片３６のテーパ部４１を沿わせつつ、各圧入片３６が傾斜部５８に圧入されることになるから、ショート端子３０の左右の位置が収容室５３に対してセンタリングされる。
【００３４】
そして、このままさらに、ショート端子３０を収容室５３に挿入し、ショート端子３０が収容室５３内に完全に収容されると、図５および図６に示すように、前側圧入部３９における凹部４０よりもやや前方までの部分が上側内壁５４に圧入され、後側圧入部３７の圧入突起３８よりもやや前方までの部分が上側内壁５４に圧入される。また、圧入片３６のテーパ部４１が倒れ防止部５７の傾斜部５８に圧入され、圧入片３６が倒れ防止部５７によって内側から押圧されるようにして支持される。
これにより、一対の圧入片３６が一対の弾性接触片３２の左右両側の位置においてハウジング５０に強固に固定され、ショート端子３０が収容室５３内にセンタリングされた状態で抜け止め保持される。
【００３５】
ところで、各圧入片３６が端子本体３１の両側縁から真っ直ぐ上方に立ち上がった形態に構成されていると、ショート端子３０を収容室５３内に圧入して収容する過程で、圧入片３６の上端部が収容室５３の上側内壁５４によって押圧された状態となって圧入片３６が端子本体３１側である内側に向けて変形する、いわゆる圧入片３６の内倒れが懸念される。
【００３６】
しかしながら、本実施形態によると、ショート端子３０を収容室５３に挿入する際に、図５に示すように、各圧入片３６が倒れ防止部５７によって内側から外側に向かって押圧されるように支持されるから、圧入片３６が内倒れすることを確実に防ぐことができる。これにより、圧入片３６が内倒れすることに起因して弾性接触片３２が損傷したり、圧入片３６が内倒れすることに起因して上側内壁５４に対して前側圧入部３９および後側圧入部３７が正規に圧入できなくなったりすることを防ぐことができる。
【００３７】
また、本実施形態によると、図３および図４に示すように、嵌合圧入部６０における倒れ防止部５７が上側内壁５４から突出した形態で圧入片３６に沿うように収容室５３の奥壁５３Ａから収容室５３の開口位置までリブ状に形成されているから、例えば、倒れ防止部が対向壁から間欠的に複数形成されたり、収容室の奥壁から圧入片に沿って形成されたりする場合に比べて、倒れ防止部５７の強度を確保しつつ、圧入片３６を内側から支持する範囲を大きく確保することができる。
【００３８】
以上のように、本実施形態によると、一対の圧入片３６の内側に嵌合圧入部６０の倒れ防止部５７が配されており、この倒れ防止部５７の傾斜部５８に圧入片３６のテーパ部４１を沿わせつつ、倒れ防止部５７にテーパ部４１を圧入するから、ショート端子３０を収容室５３内に収容する際に、圧入片３６が内倒れすることを防ぎつつ、ショート端子３０をセンタリングさせた状態で収容室５３に収容することができる。
これにより、一対のキャビティ５１内の雌端子２０に対して弾性接触片３２を正規に接触させることができ、ショート端子３０によって隣り合う雌端子２０同士を短絡させることができる。
【００３９】
＜実施形態２＞
次に、実施形態２について図７を参照しつつ説明する。
実施形態２のコネクタ１１０は、実施形態１におけるショート端子３０の圧入片３６の形状およびハウジング５０の嵌合圧入部６０における倒れ防止部５７の形状を変更したものであって、実施形態１と共通する構成、作用、および効果については重複するため、その説明を省略する。また、実施形態１と同じ構成については同一の符号を用いるものとする。
【００４０】
実施形態２のショート端子１３０における圧入片１３６の延出端部である上端部には、図７に示すように、実施形態１のようなテーパ部４１が設けられておらず、圧入片１３６の上端位置には、端子本体３１の板面と平行な形態の上端面１３６Ａが設けられている。つまり、圧入片１３６の上端面１３６Ａは、プレス加工などによって裁断された際に生じた切断面とされている。
一方、ハウジング１５０における嵌合圧入部１６０の倒れ防止部１５７は、図７に示すように、収容室５３の上側内壁１５４における左右両端の位置から下方に向かうほど内側に向けて緩やかに傾斜した傾斜部１５８を有する形態とされており、倒れ防止部１５７は、収容室５３の左右方向両側縁における上側内壁１５４の全幅に亘って形成されている。
【００４１】
つまり、嵌合圧入部１６０は、収容室５３の側壁５３Ｂと倒れ防止部１５７との二つから構成されており、圧入片１３６が倒れ防止部１５７から収容室５３の上側内壁１５４に相当する部分に亘って圧入された状態となる。また、圧入片１３６は、倒れ防止部１５７の傾斜部１５８によって内側から押圧されるようにして傾斜部１５８に圧入され、圧入片１３６が圧入された部分よりも内側に配された倒れ防止部１５７によって圧入片１３６の内倒れが防がれるようになっている。
すなわち、本実施形態によると、従来型のショート端子１３０を利用しつつ、圧入片１３６が内倒れすることを防ぐことができる。
【００４２】
＜実施形態３＞
次に、実施形態３について図８を参照しつつ説明する。
実施形態３のコネクタ２１０は、実施形態１におけるショート端子３０の圧入片３６の形状およびハウジング５０の嵌合圧入部６０における倒れ防止部５７の形状を変更したものであって、実施形態１と共通する構成、作用、および効果については重複するため、その説明を省略する。また、実施形態１と同じ構成については同一の符号を用いるものとする。
実施形態３のショート端子２３０における圧入片２３６は、図８に示すように、実施形態２の圧入片１３６と同様の形態であって、圧入片２３６の上端位置には、端子本体３１の板面と平行な形態の上端面２３６Ａが設けられている。
【００４３】
一方、ハウジング２５０における嵌合圧入部２６０の倒れ防止部２５７は、図８に示すように、上側内壁２５４の連通孔５６の側縁から下方に真っ直ぐ突出しており、倒れ防止部２５７の左右の側面は何れも上側内壁２５４と直交する垂直な壁とされている。このため、収容室５３内にショート端子２３０を挿入する際も、圧入片２３６は上側内壁５４にのみ圧入され、圧入片２３６の内側面が倒れ防止部２５７の外側面に接触する設定とされている。言い換えると、倒れ防止部２５７に圧入片２３６は圧入されず、倒れ防止部２５７が圧入片２３６を内側から支持するように接触した構成となっている。
つまり、本実施形態によると、倒れ防止部２５７によって圧入片２３６の内倒れを防ぐことは勿論、従来型のショート端子２３０を利用しつつ、ショート端子２３０の挿入抵抗が高くなることを防ぐことができる。
【００４４】
＜他の実施形態＞
本明細書で開示される技術は上記記述及び図面によって説明した実施形態に限定されるものではなく、例えば次のような種々の態様も含まれる。
（１）上記実施形態１では、圧入片３６の上端部にテーパ部４１を設け、上記実施形態２および３は、圧入片１３６，２３６の上端位置に水平の上端面１３６Ａ，２３６Ａが形成された構成にした。しかしながら、これに限らず、圧入片の上端部には、テーパ部や水平な上端面を適宜形成してもよい。
（２）上記実施形態では、端子本体３１に一対の弾性接触片３２が形成された構成とした。しかしながら、これに限らず、弾性係止片は端子本体に３つ以上構成されていてもよい。
（３）上記実施形態では、圧入片３６，１３６，２３６は、端子本体３１の両側縁から上方に向けて延出された構成とした。しかしながら、これに限らず、圧入片が下方に向けて延出された構成にしてもよい。
【００４５】
（４）上記実施形態では、圧入片３６，１３６，２３６の前部と後部とに前側圧入部３９および後側圧入部３７を構成した。しかしながら、これに限らず、圧入部は圧入片の前後方向中央部に構成してもよく、また、前部または後部の何れか一方のみに構成してもよい。
（５）上記実施形態では、ショート端子３０，１３０，２３０を収容室５３に収容するコネクタ１０，１１０，２１０を一例として示した。しかしながら、これに限らず、雌端子や雄端子が収容室に収容されるコネクタに本明細書で開示した技術を適用してもよい。
【符号の説明】
【００４６】
１０，１１０，２１０：コネクタ
２０：雌端子（コネクタ端子）
３０，１３０，２３０：ショート端子（端子）
３１：端子本体
３２：弾性接触片
３６，１３６，２３６：圧入片
４１：テーパ部
５０，１５０，２５０：ハウジング
５１：キャビティ
５３：収容室
５４，１５４，２５４：上側内壁（対向壁）
５７，１５７，２５７：倒れ防止部
５８，１５８：傾斜部
【図１】
2016058175.tif 000003
【図２】
2016058175.tif 000004
【図３】
2016058175.tif 000005
【図４】
2016058175.tif 000006
【図５】
2016058175.tif 000007
【図６】
2016058175.tif 000008
【図７】
2016058175.tif 000009
【図８】
2016058175.tif 000010